(57)【要約】      （修正有）【課題】靴を安定して展示しつつ、壁面のデザイン性及び展示形態の向上を図った履物の展示用具を提供する。【解決手段】壁面の高さ方向に沿って板面が位置するよう配置され上記壁面に係合される板状部材２と、筒状の部材の側壁に上記壁面Ｗ側となる一端面から他端面側に向かって上記板状部材が挿入されて嵌合する所定の長さの切り込みが形成された筒状部材３と、上記筒状部材の他端面に固定された載置台４と、を備える。上記板状部材２は、上記壁面Ｗ側とは反対側の他端側に、上記壁面Ｗ側に向かって延びる所定の深さの板状部材２側ネジ穴が形成されたネジ穴形成部を備える。そして、上記載置台と上記筒状部材と上記板状部材とをボルト６にて連結し、当該ボルトを上記壁面側に向かって締め付けることにより上記筒状部材の一端が上記壁面に当接するよう構成されている。【選択図】図２
0003157112.tif 000002
【実用新案登録請求の範囲】
【請求項１】
壁面の高さ方向に沿って板面が位置するよう配置され、前記壁面に係合される板状部材と、
所定の長さを有する筒状の部材であり、その側壁に、前記壁面側となる一端面から他端面側に向かって前記板状部材が挿入されて嵌合する所定の長さの切り込みが形成された筒状部材と、
前記筒状部材の他端面に固定され、展示物を下方から支持する載置部を有する載置台と、を備え、
前記板状部材は、前記壁面側となる一端側に、前記壁面に形成された壁面挿入穴に挿入されることにより前記壁面に引っ掛かって当該壁面に板状部材自体を係合するフック部を備えると共に、前記壁面側とは反対側の他端側に、前記壁面側に向かって延びる所定の深さの板状部材側ネジ穴が形成されたネジ穴形成部を備え、
前記筒状部材は、中心穴のうち前記壁面側となる一端側は、前記板状部材に設けられた前記ネジ穴形成部が挿入されるネジ穴形成部挿入穴として形成されており、中心穴のうち前記壁面側とは反対側の他端側は、前記ネジ穴形成部挿入穴に通じており前記板状部材に形成された前記板状部材側ネジ穴の径以上の筒状部材側挿入穴として形成されており、
前記載置台は、前記筒状部材の他端面に固定される箇所に、前記板状部材側ネジ穴の径以上の載置台側挿入穴が形成されており、
前記載置台に形成された前記載置台側挿入穴と、前記筒状部材に形成された前記筒状部材側挿入穴と、前記筒状部材の前記ネジ穴形成部挿入穴に挿入された前記板状部材の前記ネジ穴形成部に形成された前記板状部材側ネジ穴と、に前記載置台側から挿入され、前記載置台と前記筒状部材と前記板状部材とを連結するボルトを備えると共に、当該ボルトを前記壁面側に向かって締め付けることにより前記筒状部材の一端が前記壁面に当接するよう構成されている、
展示用具。
【請求項２】
請求項１に記載の展示用具であって、
前記筒状部材の一端側は、前記切り込みによって二股に形成されており、
前記ボルトを前記壁面側に締め付けることにより前記筒状部材の一端側に形成された二股部分の各端部が、それぞれ前記壁面に当接するよう構成されている、
展示用具。
【請求項３】
請求項１又は２に記載の展示用具であって、
前記筒状部材の一端側は、前記壁面に面で接する平面部を有する、
展示用具。
【請求項４】
請求項１乃至３のいずれか一項に記載の展示用具であって、
前記筒状部材の前記ネジ穴形成部挿入穴内に、前記筒状部材側挿入穴と、前記ネジ穴形成部挿入穴に挿入された前記板状部材の前記ネジ穴形成部と、の間に圧縮コイルばねを配設した、
展示用具。
【請求項５】
請求項１乃至４のいずれか一項に記載の展示用具であって、
前記筒状部材の他端面と、前記載置台の前記筒状部材の他端側に固定される箇所との間に、前記載置部の角度を可変設定する角度設定機構を備えた、
展示用具。
【請求項６】
請求項５に記載の展示用具であって、
前記角度設定機構は、前記載置台の前記筒状部材に固定される箇所に設けられ前記筒状部材側に向かって突出する突起と、前記筒状部材の他端面に所定の角度毎に形成された前記突起が挿入される複数の突起挿入穴と、により構成されている、
展示用具。
【考案の詳細な説明】
【技術分野】
【０００１】
本考案は、展示用具にかかり、特に、履物類を展示する展示用具に関する。
【背景技術】
【０００２】
店舗で靴を販売する場合には、壁面に展示用具を装着して、当該展示用具に靴を載置して展示することが行われている。これにより、大きな靴棚を用いることなく展示することができ、店内の空間を有効利用し、かつ、低コストにて靴を展示することができる。特に、靴の側面には種々のデザインが施されていることが多いため、当該靴の側面を顧客に見せるよう展示することが行われている。
【０００３】
例えば、特許文献１では、壁面に縦横に一定の間隔で複数の棒状の突出物を設けている。そして、横に並ぶ２本の突出物上に靴を載置して、当該靴の側面を顧客側に向けて展示する方法が開示されている。また、特許文献２には、壁面に水平方向に突出するフックに水平な台板を載せ、当該台板上に靴の靴底を載置することで、靴の側面を顧客側に向けて展示する方法が開示されている。
【先行技術文献】
【特許文献】
【０００４】
【特許文献１】特開平７−２２２６５７号公報
【特許文献２】特開２００６−１５０６３号公報
【考案の概要】
【考案が解決しようとする課題】
【０００５】
しかしながら、上述した特許文献１に開示の展示方法では、２本の突起物で靴を支持しているため、安定して靴を展示することができない。また、展示する壁面全体に、縦横に一定の間隔で複数の棒状の突出物を設ける必要がある。すると、突起物を壁面全体に設けるコストが増大し、また、靴を展示していない箇所では突起物が壁面に露出した状態であるため、壁面のデザイン性が損なわれる、という問題が生じる。また、上述した特許文献２に開示の展示方法では、水平な台板に靴を載置しているため、当該靴を安定して支持することができるものの、当該台板が水平であるため靴を水平にしか展示することしかできない。従って、展示形態の向上を図ることができない、という問題が生じる。
【０００６】
このため、本考案の目的は、上述した課題である、靴を安定して展示しつつ、壁面のデザイン性及び展示形態の向上を図ることができる展示用具を提供することにある。
【課題を解決するための手段】
【０００７】
かかる目的を達成するため本考案の一形態である展示用具は、
壁面の高さ方向に沿って板面が位置するよう配置され、上記壁面に係合される板状部材と、
所定の長さを有する筒状の部材であり、その側壁に、上記壁面側となる一端面から他端面側に向かって上記板状部材が挿入されて嵌合する所定の長さの切り込みが形成された筒状部材と、
上記筒状部材の他端面に固定され、展示物を下方から支持する載置部を有する載置台と、を備える。
【０００８】
そして、上記板状部材は、上記壁面側となる一端側に、上記壁面に形成された壁面挿入穴に挿入されることにより上記壁面に引っ掛かって当該壁面に板状部材自体を係合するフック部を備えると共に、上記壁面側とは反対側の他端側に、上記壁面側に向かって延びる所定の深さの板状部材側ネジ穴が形成されたネジ穴形成部を備える。
【０００９】
また、上記筒状部材は、中心穴のうち上記壁面側となる一端側は、上記板状部材に設けられた上記ネジ穴形成部が挿入されるネジ穴形成部挿入穴として形成されており、中心穴のうち上記壁面側とは反対側の他端側は、上記ネジ穴形成部挿入穴に通じており上記板状部材に形成された上記板状部材側ネジ穴の径以上の筒状部材側挿入穴として形成されている。
【００１０】
また、上記載置台は、上記筒状部材の他端面に固定される箇所に、上記板状部材側ネジ穴の径以上の載置台側挿入穴が形成されている。
【００１１】
さらに、上記載置台に形成された上記載置台側挿入穴と、上記筒状部材に形成された上記筒状部材側挿入穴と、上記筒状部材の上記ネジ穴形成部挿入穴に挿入された上記板状部材の上記ネジ穴形成部に形成された上記板状部材側ネジ穴と、に上記載置台側から挿入され、上記載置台と上記筒状部材と上記板状部材とを連結するボルトを備えると共に、当該ボルトを上記壁面側に向かって締め付けることにより上記筒状部材の一端が上記壁面に当接するよう構成されている、
という構成を採る。
【考案の効果】
【００１２】
本考案は、以上のように構成されることにより、靴を安定して展示しつつ、壁面のデザイン性の向上を図りつつ、展示形態の向上を図ることができる。
【図面の簡単な説明】
【００１３】
【図１】壁面に固定した展示用具を用いて靴を展示したときの一例を正面から見た図である。
【図２】壁面に固定した展示用具を用いて靴を展示したときの一例を側方から見た図である。
【図３】壁面に固定した展示用具を用いて靴を展示したときの他の例を正面から見た図である。
【図４】展示用具を構成する板状部材の構成を示す図である。
【図５】展示用具が固定される壁面の構成を示す図である。
【図６】壁面に板状部材を係合したときの様子を示す図である。
【図７】展示用具を構成する筒状部材の構成を示す図である。
【図８】展示用具を構成する載置台の構成を示す図である。
【図９】展示用具の取り付けの様子を示す図である。
【図１０】展示用具の取り付けの様子を示す図である。
【図１１】展示用具の取り付けの様子を示す図である。
【図１２】展示用具の取り付けの様子を示す図である。
【図１３】展示用具の取り付けの様子を示す図である。
【図１４】展示用具の取り付けの様子を示す図である。
【図１５】展示用具の取り付けの様子を示す図である。
【考案を実施するための形態】
【００１４】
＜実施形態１＞
本考案の第１の実施形態を、図１乃至図１５を参照して説明する。図１乃至図３は、展示用具を用いて靴を展示したときの様子を示す図である。図４乃至図８は、展示用具を構成する部材及び展示用具が固定される壁面の構成を示す図である。図９乃至図１５は、展示用具の取り付けの様子を示す図である。
【００１５】
なお、以下では、例えば、靴Ｓを展示物とし、店舗の壁面に靴Ｓを展示する場合に用いる展示用具を一例に挙げて説明する。但し、展示物は靴に限定されず、いかなる展示物であってもよい。また、展示用具の構成は以下に説明するものに限定されず、固定される壁面や展示物に応じて適宜変更されうる。
【００１６】
［構成］
図１乃至図３に、本考案における展示用具１を用いて、壁面Ｗに靴Ｓを展示した時の様子を示す。図１は、靴Ｓの側面側を顧客に見せるよう展示した時の様子を示している。また、図２は、図１を右側方から見た時の図を示している。また、図３に示すように、本考案における展示用具１は、靴Ｓを斜めに傾けて展示することも可能である。
【００１７】
図２に示すように、展示用具１は、主に、壁面Ｗに装着される板状部材２と、この板状部材２に連結される筒状部材３と、この筒状部材３に固定され展示物である靴Ｓを載置する載置台４と、を備えて構成されている。以下、各構成について詳述する。
【００１８】
まず、図４を参照して、上記板状部材２について説明する。図４（Ｂ）は、板状部材２の正面図であり、図４（Ａ）は、左側面図を示す。これらの図に示すように、板状部材２は、所定の厚さを有する板状の部材である。そして、この板状部材２は、壁面Ｗに対して直接装着される部材である。
【００１９】
ここで、図５を参照して、展示用具１を装着可能な壁面Ｗについて説明する。図５（Ａ）の正面図に示すように、壁面Ｗは、所定の厚さを有する２枚のパネルＰ１，Ｐ２の間に固定装備された高さ方向（鉛直方向）に延びる柱部材８を備えている。そして、この柱部材８には、当該柱部材８の断面図である図５（Ｂ）に示すように、所定の間隔で、壁面Ｗに対して垂直方向に貫通する壁面挿入穴８１が複数形成されている。
【００２０】
そして、上記板状部材２は、図６に示すように、板状部材２自体が壁面Ｗに対して垂直に、かつ、板面が柱部材８の長手方向つまり壁面Ｗの高さ方向（鉛直方向）に沿って位置するよう配置され、壁面Ｗに一端が係合される。このため、板状部材２の一端（図４（Ｂ）の右側端部）には、図４（Ｂ）に示すように、壁面Ｗに係合されるためのフック部２１が形成されている。具体的に、板状部材２のフック部２１は、壁面Ｗの柱部材８に形成された壁面挿入穴８１の間隔に対応して、同様の間隔で２つ形成されている。そして、フック部２１は、直角に屈曲した鍵状に形成されている。これにより、図６（Ｂ）に示すように、フック部２１の直角に屈曲した箇所が、柱部材８の壁面挿入穴８１に挿入されて、当該柱部材８の壁面挿入穴８１間の裏面側に引っ掛かり、板状部材２自体を壁面Ｗに装着することができる。
【００２１】
また、板状部材２の上記フック部２１とは反対側に位置する他端（図４（Ｂ）の左側端部）には、当該他端から一端側に延びる所定の深さの板状部材側ネジ穴２３が形成されている。つまり、板状部材側ネジ穴２３は、図６（Ｂ）に示すように板状部材２が壁面Ｗの柱部材８に装着されたときには、当該壁面Ｗとは反対側で開口し、当該壁面Ｗに向かって深さ方向が位置することとなる。
【００２２】
そして、上記ネジ穴２３の周囲は円柱形状に形成されており、ネジ穴形成部２２を構成している。つまり、板状部材２の他端側には、当該他端から突出すると共に一端側に延びる所定の長さの円柱形状のネジ穴形成部２２が形成されており、その他端側の中心に、所定の深さのネジ穴２３が形成されている。そして、板状部材２は、ネジ穴形成部２２の中心（直径）を通るよう位置する。
【００２３】
次に、図７を参照して、上記筒状部材３について説明する。図７（Ｂ）は、筒状部材３の正面図であり、図７（Ａ）は左側面図を、図７（Ｃ）は右側面を示す。また、図７（Ｄ）は底面図を示す。これらの図に示すように、筒状部材３は、所定の長さを有する円筒形状の部材であり、後述するように壁面Ｗ側に位置する一端側（図７（Ｂ）の右端部側）では、その外径が端部に向かうにつれて徐々に小さくなるよう形成されている。
【００２４】
そして、筒状部材３の中心に長さ方向に沿って形成された中心穴は、他端面（図７（Ｂ）の左端部側）付近のみが、一端側よりも内径が小さく形成された筒状部材側挿入穴３１を形成している。なお、この筒状部材側挿入穴３１は、上述した板状部材２に形成されたネジ穴形成部２２の板状部材側ネジ穴２３とほぼ同一の径あるいはそれよりもやや大きい径の穴であり、後述するボルト６のネジ部が挿入可能なよう形成されている。
【００２５】
そして、図７（Ａ）に示す筒状部材３の他端面は、平面にて形成されている。また、他端面の外周付近の一部に、所定の深さの突起挿入穴３４が、所定の角度毎に複数形成されている。例えば、突起挿入穴３４は、１５度間隔で５つ形成されており、その深さは、後述する載置台４に形成された突起４５の長さよりも深く形成されている。なお、この突起挿入穴３４は、後述するように載置台４の突起４５と協働して、当該載置台４の角度を可変設定する角度設定機構として機能する。
【００２６】
また、中心穴のうち、筒状部材側挿入穴３１よりも一端側は、当該筒状部材側挿入穴３１と連通すると共に一端側に開口し、当該筒状部材側挿入穴３１よりも内径が大きく形成されたネジ穴形成部挿入穴３２が形成されている。具体的に、ネジ穴形成部挿入穴３２の内径は、上記板状部材２に形成されたネジ穴形成部２２の外径とほぼ同一あるいはやや大きく形成されており、後述するようにネジ穴形成部２２が挿入可能なよう構成されている。
【００２７】
なお、上記ネジ穴形成部挿入穴３２には、図２に示すように、圧縮コイルばね５が挿入される。この圧縮コイルばね５は、その径が上記筒状部材側挿入穴３１よりも大きく、かつ、ネジ穴形成部挿入穴３２よりも小さい。そして、圧縮コイルばね５は、ネジ穴形成部挿入穴３２に対して、上記板状部材２に形成されたネジ穴形成部２２よりも先に挿入される。従って、圧縮コイルばね５は、ネジ穴形成部挿入穴３２内において、筒状部材側挿入穴３１とネジ穴形成部２２との間に配置されることとなる。また、圧縮コイルばね５の中心には、後述するように、ボルト６のネジ部が挿通されることとなる。
【００２８】
また、筒状部材３の側壁の一端面（図７（Ｂ）の左側端面）から他端面側に向かって、当該一端面にて開口する所定の幅の切り込み溝３３が形成されている。この切り込み溝３３は、図７（Ｃ）及び図７（Ｄ）に示すように、円筒形状である筒状部材３の中心を通る直径上に位置して形成されている。つまり、筒状部材３の一端側は、切り込み溝３３によって二股に分かれて形成されており、一端面が半円弧状に形成されている。なお、図７（Ｃ）の上方に位置する切り込み溝３３の延長上には、上述した他端面に形成された５つの突起挿入穴３４のうち中央に形成されたものが位置している。
【００２９】
また、上記切り込み溝３３の幅は、上述した板状部材２の厚さとほぼ同一あるいはそれよりもやや広く形成されており、板状部材２が挿入されて嵌合可能なよう形成されている。なお、切り込み溝３３の長さは、一端側から筒状部材３の長さの半分よりも長く形成されており、上述したネジ穴形成部２２の長さよりも長く形成されている。
【００３０】
そして、上述したように、筒状部材３の一端面は上記切り込み溝３３により二股に分かれて形成されているが、当該二股に分かれた一端面の各端部は、それぞれ平面にて形成されており、当該各端部（平面部）は、後述する図１４及び図１５に示すように、展示用具１として組み付けられると、壁面Ｗに対して面で当接する。
【００３１】
次に、図８を参照して、上記載置台４について説明する。図８（Ａ）は、載置台４の正面図であり、図８（Ｂ）は、上面図を示す。これらの図に示すように、載置台４は、主に、ほぼ同一平面上で略コ字状に形成された所定の厚さ及び幅の長板部材４１にて構成されている。具体的に、載置台４は、上記長板部材４１の中央に位置する所定の長さのベース部４１ａと、長板部材４１のうち上記ベース部４１ａの両端にて当該ベース部４１ａに対してほぼ直角に屈曲された各屈曲部４１ｂと、により形成されている。そして、各屈曲部４１ｂやベース部４１ａの上面は、展示物を下方から支持する載置面（載置部）として機能する。
【００３２】
また、載置台４のベース部４１ａの長さ方向の中央には、上記屈曲部４１ｂの形成側とは反対側の側部に、上記載置面とは反対方向であり当該載置面に対してほぼ直角に曲折した所定の厚さの板部材からなる固定部４３が形成されている。この固定部４３は、図８（Ａ）に示すように、略逆三角形状に形成されており、その中心付近に、後述するボルト６のネジ部が挿入される載置台側挿入穴４４が形成されている。具体的に、この載置台側挿入穴４４は、上述した筒状部材側挿入穴３１とほぼ同一の大きさであり、上記板状部材２に形成されたネジ穴形成部２２の板状部材側ネジ穴２３とほぼ同一の径あるいはそれよりもやや大きい径の穴である。なお、載置台４の固定部４３は、上述した筒状部材３の他端面に固定される箇所となる。具体的には、固定部４３の上記ベース部４１ａ側とは反対側の外表面が、筒状部材３の他端面と当接して、後述するボルト６により締結されることで、載置台４を筒状部材３に固定することができる。
【００３３】
また、固定部４３の上記ベース部４１ａ側とは反対側の外表面には、筒状部材３の他端面に形成されたいずれかの突起挿入穴３４に挿入される突起４５が１つ設けられている。この突起４５は、具体的には、固定部４３の外表面に対してほぼ垂直に突出する棒状の部材であり、上記突起挿入穴３４の内径とほぼ同一の径あるいはそれよりもやや小さい径にて形成され、当該突起挿入穴３４の深さよりも短い長さにて形成されている。これにより、筒状部材３に対して載置台４を回転させて載置面の角度が所望の角度となる角度にて、突起４５を突起挿入穴３４に挿入することで、筒状部材３に対して載置面の角度を設定することができる。
【００３４】
なお、上述した屈曲部４１ｂの先端には、載置面とは反対側に曲折した先端曲折部４２が形成されている。この先端曲折部４２のほぼ中央には、ネジ穴が形成されており、図１乃至図３に示すように、展示物の値段や説明などを表示するプレート７をネジ留めすることができる。
【００３５】
［取り付け方法］
次に、上記構成の展示用具１の取り付け方法について、図９乃至図１５を参照して説明する。
【００３６】
まず、図９の一点鎖線矢印に示すように、ボルト６のネジ部を、載置台４側から、当該載置台４の載置台側挿入穴４４、筒状部材３の筒状部材側挿入穴３１、圧縮コイルばね５、板状部材２に形成された板状部材側ネジ穴２３に、挿入して、板状部材側ネジ穴２３に捩じ込む。このとき、筒状部材３のネジ穴形成部挿入穴３２には、圧縮コイルばね５とネジ穴形成部２２とが順番に挿入される。このボルト６の締結により、図１０に示すように、載置台４の固定部４３と、筒状部材３と、圧縮コイルばね５と、板状部材２とが、一体的に連結される。
【００３７】
具体的に、ボルト６の締結により、まず、載置台４の固定部４３と筒状部材３の他端面とが当接する。なお、このとき、固定部４３に設けられた突起４５は、筒状部材３の他端面に形成されたいずれかの突起挿入穴３４に挿入された状態となる。そして、筒状部材３のネジ穴形成部挿入穴３２には、圧縮コイルばね５と板状部材２のネジ穴形成部２２とが収容されると共に、筒状部材３の切り欠き溝３３には、板状部材２自体が嵌合された状態となる。また、上述したようにボルト６をねじ込むことで、筒状部材３のネジ穴形成部挿入穴３２内の圧縮コイルばね５が縮められた状態となり、その反発力にて筒状部材３を載置台４側に押圧した状態となる。従って、載置台４の固定部４３と筒状部材３の他端面とは、相互に押圧し合った状態となり、固定されることとなる。
【００３８】
続いて、載置台４の載置面の角度を変更する場合の動作を説明する。まず、図１１の矢印Ｙ１に示すように、筒状部材３を板状部材２側に移動させる。すると、載置台４と筒状部材３とが離間し、突起挿入穴３４から突起４５が抜けた状態となる。この状態で、図１１の矢印Ｙ２に示すよう、載置台４を固定部４３の載置台側挿入穴４４に挿入されたボルト６を中心に回転させ、筒状部材３に対して所望の角度に設定する。このとき、載置台４の固定部４３に形成された突起４５が、筒状部材３に形成されたいずれかの突起挿入穴３４に挿入される角度に設定するため、１５度間隔で設定することができる。例えば、図１２の二点鎖線に示すように、載置台４の角度を設定可能である。
【００３９】
そして、再び図１０に示すように、筒状部材３を載置台４側に移動して戻すことで、載置台４の固定部４３に形成された突起４５が、当該突起４５の位置に対応して位置する筒状部材３に形成されたいずれかの突起挿入穴３４に挿入され、載置台４が所望の角度で筒状部材３に対して固定される。なお、筒状部材３は、上述したように板状部材２側に移動されたときに圧縮コイルばね５が縮められた状態となるため、その反発力にて載置台４側に自動的に戻るよう移動する。そして、筒状部材３が元の位置に戻った後も、上述したように、圧縮コイルばね５が縮められた状態であるため、その反発力にて載置台４の固定部４３と筒状部材３の他端面とは相互に押圧し合った状態となり、固定されることとなる。
【００４０】
以上のようにして、載置台４の角度を固定した後に、図１０に示すよう、載置台４と筒状部材３と板状部材２とが連結された展示用具１を、壁面Ｗに装着する。このとき、図６に示すように、板状部材２の一端側に形成されたフック部２１を、壁面Ｗの柱部材８に形成された挿入穴８１に挿入して当該柱部材８の裏面側に引っ掛けることで、図１３に示すように、展示用具１自体を壁面Ｗに装着する。
【００４１】
その後、図１３の矢印Ｙ３に示すように、ボルト６を壁面Ｗ側に向かって締め付ける。これにより、ボルト６のネジ部がさらに板状部材２に形成された板状部材側ネジ穴２３にねじ込まれ、筒状部材３が矢印Ｙ４の方向、つまり、壁面Ｗ側に向かって移動することとなる。すると、図１４及び当該図１４の上面図である図１５に示すように、筒状部材３の二股に分かれた一端面が、それぞれ壁面Ｗに当接する。
【００４２】
以上により、本考案にかかる展示用具１は、載置台４の角度を所望の角度に容易に設定することができると共に、ボルト６を締め付けることで、筒状部材３の二股に分かれた各端部が壁面Ｗに当接するため、展示用具１を安定して壁面Ｗに固定することができる。つまり、筒状部材３が常に壁面Ｗに押しつけられた状態となるため、板状部材２が板面に対して垂直方向（水平方向）に揺れることを抑制することができ、かつ、下方向から上方向への押圧力を受けたとしても、その力で板状部材２が柱部材から外れることを有効に抑制することができる。その結果、展示物を安定して展示しつつ、壁面のデザイン性の向上及び展示形態の向上を図ることができる。
【００４３】
ここで、本実施形態における壁面Ｗは、パネルＰ１，Ｐ２及び柱部材８の表面であり、筒状部材３の一端面がパネルＰ１，Ｐ２か柱部材８のいずれかの表面に当接して、展示用具１が壁面Ｗに固定されればよい。例えば、柱部材６の表面が周囲のパネルＰ１，Ｐ２の表面に対して突出していたとしても、筒状部材３の一端面が突出している柱部材６の表面に当接したり、あるいは、パネルＰ１，Ｐ２の表面に当接すればよい。
【００４４】
なお、上記では、載置台４と筒状部材３と板状部材２とをボルト６で連結して展示用具１を組み付けた後に、当該展示用具１を壁面Ｗに装着する場合を例示したが、板状部材２を壁面Ｗに装着してから、当該板状部材２に筒状部材３や載置台４などをボルト６で連結して、展示用具１を組み付けてもよい。
【００４５】
＜実施形態２＞
本考案の第２の実施形態における展示用具について説明する。なお、本実施形態では、上記実施形態にて説明した展示用具の構成の概略を説明する。
【００４６】
本考案の一形態である展示用具は、
壁面の高さ方向に沿って板面が位置するよう配置され、上記壁面に係合される板状部材と、
所定の長さを有する筒状の部材であり、その側壁に、上記壁面側となる一端面から他端面側に向かって上記板状部材が挿入されて嵌合する所定の長さの切り込みが形成された筒状部材と、
上記筒状部材の他端面に固定され、展示物を下方から支持する載置部を有する載置台と、を備える。
【００４７】
そして、上記板状部材は、上記壁面側となる一端側に、上記壁面に形成された壁面挿入穴に挿入されることにより上記壁面に引っ掛かって当該壁面に板状部材自体を係合するフック部を備えると共に、上記壁面側とは反対側の他端側に、上記壁面側に向かって延びる所定の深さの板状部材側ネジ穴が形成されたネジ穴形成部を備える。
【００４８】
また、上記筒状部材は、中心穴のうち上記壁面側となる一端側は、上記板状部材に設けられた上記ネジ穴形成部が挿入されるネジ穴形成部挿入穴として形成されており、中心穴のうち上記壁面側とは反対側の他端側は、上記ネジ穴形成部挿入穴に通じており上記板状部材に形成された上記板状部材側ネジ穴の径以上の筒状部材側挿入穴として形成されている。
【００４９】
また、上記載置台は、上記筒状部材の他端面に固定される箇所に、上記板状部材側ネジ穴の径以上の載置台側挿入穴が形成されている。
【００５０】
さらに、上記載置台に形成された上記載置台側挿入穴と、上記筒状部材に形成された上記筒状部材側挿入穴と、上記筒状部材の上記ネジ穴形成部挿入穴に挿入された上記板状部材の上記ネジ穴形成部に形成された上記板状部材側ネジ穴と、に上記載置台側から挿入され、上記載置台と上記筒状部材と上記板状部材とを連結するボルトを備えると共に、当該ボルトを上記壁面側に向かって締め付けることにより上記筒状部材の一端が上記壁面に当接するよう構成されている。
【００５１】
また、上記展示用具では、
上記筒状部材の一端側は、上記切り込みによって二股に形成されており、
上記ボルトを上記壁面側に締め付けることにより上記筒状部材の一端側に形成された二股部分の各端部が、それぞれ上記壁面に当接するよう構成されている。
【００５２】
また、上記展示用具は、
上記筒状部材の一端側は、上記壁面に面で接する平面部を有する、
という構成を採る。
【００５３】
また、上記展示用具では、
上記筒状部材の上記ネジ穴形成部挿入穴内に、上記筒状部材側挿入穴と、上記ネジ穴形成部挿入穴に挿入された上記板状部材の上記ネジ穴形成部と、の間に圧縮コイルばねを配設した、
という構成を採る。
【００５４】
また、上記展示用具では、
上記筒状部材の他端面と、上記載置台の上記筒状部材の他端側に固定される箇所との間に、上記載置部の角度を可変設定する角度設定機構を備えた、
という構成を採る。
【００５５】
そして、上記展示用具では、
上記角度設定機構は、上記載置台の上記筒状部材に固定される箇所に設けられ上記筒状部材側に向かって突出する突起と、上記筒状部材の他端面に所定の角度毎に形成された上記突起が挿入される複数の突起挿入穴と、により構成されている。
【００５６】
以上、上記各実施形態を参照して本願考案を説明したが、本願考案は、上述した実施形態に限定されるものではない。本願考案の構成や詳細には、本願考案の範囲内で当業者が理解しうる様々な変更をすることができる。
【産業上の利用可能性】
【００５７】
本考案は、店舗などにおいて靴などの展示物を壁面に展示するための展示用具として利用することができ、産業上の利用可能性を有する。
【符号の説明】
【００５８】
１      展示用具
２      板状部材
２１    フック部
２２    ネジ穴形成部
２３    板状部材側ネジ穴
３      筒状部材
３１    筒状部材側挿入穴
３２    ネジ穴形成部挿入穴
３３    切り込み溝
３４    突起挿入穴
４      載置台
４１    長板部材
４１ａ  ベース部
４１ｂ  屈曲部
４２    先端曲折部
４３    固定部
４４    載置台側挿入穴
４５    突起
５      圧縮コイルばね
６      ボルト
７      プレート
８      柱部材
８１    壁面挿入穴
Ｐ１，Ｐ２  パネル
Ｓ      靴
Ｗ      壁面
【図１】
0003157112.tif 000003
【図２】
0003157112.tif 000004
【図３】
0003157112.tif 000005
【図４】
0003157112.tif 000006
【図５】
0003157112.tif 000007
【図６】
0003157112.tif 000008
【図７】
0003157112.tif 000009
【図８】
0003157112.tif 000010
【図９】
0003157112.tif 000011
【図１０】
0003157112.tif 000012
【図１１】
0003157112.tif 000013
【図１２】
0003157112.tif 000014
【図１３】
0003157112.tif 000015
【図１４】
0003157112.tif 000016
【図１５】
0003157112.tif 000017